(57)【特許請求の範囲】
【請求項１】
画像データにより表される画像を少なくとも低周波数成分、中周波数成分および高周波数成分に分解し、該分解後、前記中周波数成分および前記高周波数成分のそれぞれの評価値を前記画像の各画素毎に設定し、該各評価値に基づいて前記中周波数成分を抑制する中周波数成分用ゲインおよび前記高周波数成分を強調する高周波数成分用ゲインを前記画像の各画素毎にそれぞれ設定し、前記中周波数成分用ゲインおよび前記高周波数成分用ゲインに基づいて、前記中周波数成分を抑制するとともに、前記高周波数成分を強調する強調抑制処理を行い、該処理後の各周波数成分およびそれ以外の周波数成分を合成して処理済み画像を表す処理済み画像データを生成する画像処理方法において、
前記各画素に設定される前記中周波数成分および前記高周波数成分の評価値が、前記中周波数成分および前記高周波数成分それぞれにおける各画素の絶対値であることを特徴とする画像処理方法。
【請求項２】
前記画像データの輝度成分を生成し、
該輝度成分に基づいて、前記分解、前記ゲインの設定、前記強調抑制処理、および前記合成を行って輝度成分処理済み画像データを得、
該輝度成分処理済み画像データに基づいて、前記処理済み画像データを生成することを特徴とする請求項１記載の画像処理方法。
【請求項３】
前記中周波数成分の前記絶対値が所定の閾値より小さい画素に対する前記中周波数成分を、該絶対値が該所定の閾値より大きい画素に対する前記中周波数成分よりも大きく抑制して前記強調抑制処理を行うよう、前記中周波数成分用ゲインを設定することを特徴とする請求項１または２記載の画像処理方法。
【請求項４】
前記高周波数成分の前記絶対値が所定の閾値より小さい画素に対する前記高周波数成分を、該絶対値が該所定の閾値より大きい画素に対する前記高周波数成分よりも小さく強調して前記強調抑制処理を行うよう、前記高周波数成分用ゲインを設定することを特徴とする請求項１から３のいずれか１項記載の画像処理方法。
【請求項５】
画像データにより表される画像を少なくとも低周波数成分、中周波数成分および高周波数成分に分解する手段と、該分解後、前記中周波数成分および前記高周波数成分のそれぞれの評価値を前記画像の各画素毎に設定し、該各評価値に基づいて前記中周波数成分を抑制する中周波数成分用ゲインおよび前記高周波数成分を強調する高周波数成分用ゲインを前記画像の各画素毎にそれぞれ設定し、前記中周波数成分用ゲインおよび前記高周波数成分用ゲインに基づいて、前記中周波数成分を抑制するとともに、前記高周波数成分を強調する強調抑制処理を行う強調抑制処理手段と、該処理後の各周波数成分およびそれ以外の周波数成分を合成して処理済み画像データを生成する生成手段とを備えた画像処理装置において、
前記各画素に設定される前記中周波数成分および前記高周波数成分の評価値が、前記中周波数成分および前記高周波数成分それぞれにおける各画素の絶対値であることを特徴とする画像処理装置。
【請求項６】
前記画像データの輝度成分を生成する輝度成分生成手段をさらに備え、
前記分解する手段、前記強調抑制処理手段および前記生成手段は、該輝度成分に基づいて、前記分解、前記ゲインの設定、前記強調抑制処理、および前記合成を行って輝度成分処理済み画像データを得、該輝度成分処理済み画像データに基づいて、前記処理済み画像データを生成する手段であることを特徴とする請求項５記載の画像処理装置。
【請求項７】
前記強調抑制処理手段は、前記中周波数成分の前記絶対値が所定の閾値より小さい画素に対する前記中周波数成分を、該絶対値が該所定の閾値より大きい画素に対する前記中周波数成分よりも大きく抑制して前記強調抑制処理を行うよう、前記中周波数成分用ゲインを設定する手段であることを特徴とする請求項５または６記載の画像処理装置。
【請求項８】
前記強調抑制処理手段は、前記高周波数成分の前記絶対値が所定の閾値より小さい画素に対する前記高周波数成分を、該絶対値が該所定の閾値より大きい画素に対する前記高周波数成分よりも小さく強調して前記強調抑制処理を行うよう、前記高周波数成分用ゲインを設定する手段であることを特徴とする請求項５から７のいずれか１項記載の画像処理装置。
【請求項９】
画像データにより表される画像を少なくとも低周波数成分、中周波数成分および高周波数成分に分解する手順と、該分解後、前記中周波数成分および前記高周波数成分のそれぞれの評価値を前記画像の各画素毎に設定し、該各評価値に基づいて前記中周波数成分を抑制する中周波数成分用ゲインおよび前記高周波数成分を強調する高周波数成分用ゲインを前記画像の各画素毎にそれぞれ設定する手順と、前記中周波数成分用ゲインおよび前記高周波数成分用ゲインに基づいて、前記中周波数成分を抑制するとともに、前記高周波数成分を強調する強調抑制処理を行う手順と、該処理後の各周波数成分およびそれ以外の周波数成分を合成して処理済み画像データを生成する手順とを有する画像処理方法をコンピュータに実行させるためのプログラムにおいて、
前記各画素に設定される前記中周波数成分および前記高周波数成分の評価値が、前記中周波数成分および前記高周波数成分それぞれにおける各画素の絶対値であることを特徴とするプログラム。
【請求項１０】
前記画像データの輝度成分を生成する手順をさらに有し、
前記分解する手順、前記ゲインを設定する手順、前記強調抑制を行う手順、および前記処理済み画像データを生成する手順は、前記該輝度成分に基づいて、前記分解、前記評価値の設定、前記ゲインの設定、前記強調抑制処理、および前記合成を行って輝度成分処理済み画像データを得、該輝度成分処理済み画像データに基づいて、前記処理済み画像データを生成する手順である請求項９記載のプログラム。
【請求項１１】
前記ゲインを設定する手順は、前記中周波数成分の前記絶対値が所定の閾値より小さい画素に対する前記中周波数成分を、該絶対値が該所定の閾値より大きい画素に対する前記中周波数成分よりも大きく抑制して前記強調抑制処理を行うよう、前記中周波数成分用ゲインを設定する手順である請求項９または１０記載のプログラム。
【請求項１２】
前記ゲインを設定する手順は、前記高周波数成分の前記絶対値が所定の閾値より小さい画素に対する前記高周波数成分を、該絶対値が該所定の閾値より大きい画素に対する前記高周波数成分よりも小さく強調して前記強調抑制処理を行うよう、前記高周波数成分用ゲインを設定する手順である請求項９から１１のいずれか１項記載のプログラム。
【発明の詳細な説明】
【０００１】
【発明の属する技術分野】
本発明は画像のざらつきを抑制しつつ鮮鋭度を向上させる画像処理を画像データに対して施す画像処理方法および装置並びに画像処理方法をコンピュータに実行させるためのプログラムに関するものである。
【０００２】
【従来の技術】
デジタルカメラやデジタルビデオ等の撮像デバイスにより得られた画像データや、写真フイルムに記録された画像をスキャナにより読み取ることにより得られた画像データに対して種々の画像処理を施して、プリンタやモニタのような表示デバイスを用いて再生するシステムが知られている。
【０００３】
とくにフイルムに記録された画像データに対して画像処理を施すシステムにおいて行われる画像処理として、フイルムの粒状に起因する画像の粒状度を抑制しつつ、鮮鋭度を向上させる画像処理が提案されている（特開平９−２２４６０号公報）。この方法は、原画像を表す原画像データを、低周波数成分、中周波数成分および高周波数成分に分解し、中周波数成分および高周波数成分にゲインを乗算することにより、中周波数成分を抑制するとともに高間周波数成分を強調する強調抑制処理を行い、処理後の各周波数成分およびそれ以外の周波数成分を合成して処理済み画像データを得る方法である。
【０００４】
ここで、中周波数成分および高周波数成分に乗算するゲインは、ある評価値に基づいて決定される。具体的には、中周波数成分および高周波数成分のＲＧＢ３色のうちの２色からなる少なくとも１組の色間における、相対応する画素についての相関値が評価値として用いられる。
【０００５】
一方、フイルムに記録された画像を読み取ることにより得られた画像データに限らず、デジタルカメラにおいて得られた画像データについても、上記特開平９−２２４６０号公報に記載された方法を適用して、フイルムに記録された画像を読み取ることにより得られた画像データと同様の周波数成分に強調抑制処理を施すことにより、ざらつきを抑えつつも鮮鋭度を向上させた画像を再生可能な処理済み画像データを得ることができる。
【０００６】
ここで、一般的なデジタルの画像データに対して強調抑制処理を施すに際し、ＪＰＥＧ圧縮されている画像のように、色差成分については周波数の高い成分が元々少ない場合には、上述した強調抑制処理を、画像データの輝度成分に対してのみ適用することにより、画像のざらつきを抑制しかつ鮮鋭度を向上させつつも、演算量を低減することができる。
【０００７】
【発明が解決しようとする課題】
しかしながら、上述した相関値を評価値として用いるためには、ＲＧＢ３色について中周波数成分および高周波数成分を生成し、さらにはＲＧＢ３色のうちの２色からなる少なくとも１組の色間における、相対応する画素についての相関値を算出する必要があるため、ゲインを決定するための演算に長時間を要する。
【０００８】
本発明は上記事情に鑑みなされたものであり、画像のざらつきを抑制しつつ、鮮鋭度を向上させる画像処理を効率よく行うことを目的とする。
【０００９】
【課題を解決するための手段】
本発明による画像処理方法は、画像データを少なくとも低周波数成分、中周波数成分および高周波数成分に分解し、該分解後、前記中周波数成分および前記高周波数成分のそれぞれの評価値を設定し、該各評価値に基づいて前記中周波数成分を抑制する中周波数成分用ゲインおよび前記高周波数成分を強調する高周波数成分用ゲインをそれぞれ設定し、前記中周波数成分用ゲインおよび前記高周波数成分用ゲインに基づいて、前記中周波数成分を抑制するとともに、前記高周波数成分を強調する強調抑制処理を行い、該処理後の各周波数成分およびそれ以外の周波数成分を合成して処理済み画像データを生成する画像処理方法において、
前記中周波数成分および前記高周波数成分それぞれの絶対値を前記各評価値として設定することを特徴とするものである。
【００１０】
ここで、画像信号の低周波数成分、中周波数成分および高周波数成分とは、例えば図２に示すように分布される周波数成分のことをいうものである。すなわち、中周波数成分とは、処理後のデータを可視像として再生する際の出力のナイキスト周波数（ここでは６cycle/mm）の１／３付近にピークを持って分布する周波数成分であり、低周波数成分とは、出力のナイキスト周波数が０となる周波数をピークとして分布する成分であり、高周波数成分とは出力のナイキスト周波数をピークとして分布する成分である。
【００１１】
なお、画像データは低中高の３つの周波数成分のみならず、さらに多くの周波数成分に分解してもよい。このようにさらに多くの周波数成分に分解した場合は、複数の周波数成分から、低周波数成分、中周波数成分および高周波数成分が選択される。
【００１２】
なお、本発明による画像処理方法においては、前記画像データの輝度成分を生成し、
該輝度成分に基づいて、前記分解、前記ゲインの設定、前記強調抑制処理、および前記合成を行って輝度成分処理済み画像データを得、
該輝度成分処理済み画像データに基づいて、前記処理済み画像データを生成するようにしてもよい。
【００１３】
また、本発明による画像処理方法においては、前記中周波数成分の前記絶対値が所定の閾値より小さい画素に対する前記中周波数成分を、該絶対値が該所定の閾値より大きい画素に対する前記中周波数成分よりも大きく抑制して前記強調抑制処理を行うよう、前記中周波数成分用ゲインを設定するようにしてもよい。
【００１４】
さらに、本発明による画像処理方法においては、前記高周波数成分の前記絶対値が所定の閾値より小さい画素に対する前記高周波数成分を、該絶対値が該所定の閾値より大きい画素に対する前記高周波数成分よりも小さく強調して前記強調抑制処理を行うよう、前記高周波数成分用ゲインを設定するようにしてもよい。
【００１５】
本発明による画像処理装置は、画像データを少なくとも低周波数成分、中周波数成分および高周波数成分に分解する手段と、該分解後、前記中周波数成分および前記高周波数成分のそれぞれの評価値を設定し、該各評価値に基づいて前記中周波数成分を抑制する中周波数成分用ゲインおよび前記高周波数成分を強調する高周波数成分用ゲインをそれぞれ設定し、前記中周波数成分用ゲインおよび前記高周波数成分用ゲインに基づいて、前記中周波数成分を抑制するとともに、前記高周波数成分を強調する強調抑制処理を行う強調抑制処理手段と、該処理後の各周波数成分およびそれ以外の周波数成分を合成して処理済み画像データを生成する生成手段とを備えた画像処理装置において、
前記強調抑制処理手段は、前記中周波数成分および前記高周波数成分それぞれの絶対値を前記各評価値として設定する手段であることを特徴とするものである。
【００１６】
なお、本発明による画像処理装置においては、前記画像データの輝度成分を生成する輝度成分生成手段をさらに備えるものとし、
前記分解する手段、前記強調抑制処理手段および前記生成手段を、該輝度成分に基づいて、前記分解、前記ゲインの設定、前記強調抑制処理、および前記合成を行って輝度成分処理済み画像データを得、該輝度成分処理済み画像データに基づいて、前記処理済み画像データを生成する手段としてもよい。
【００１７】
また、本発明による画像処理装置においては、前記強調抑制処理手段を、前記中周波数成分の前記絶対値が所定の閾値より小さい画素に対する前記中周波数成分を、該絶対値が該所定の閾値より大きい画素に対する前記中周波数成分よりも大きく抑制して前記強調抑制処理を行うよう、前記中周波数成分用ゲインを設定する手段としてもよい。
【００１８】
さらに、本発明による画像処理装置においては、前記強調抑制処理手段を、前記高周波数成分の前記絶対値が所定の閾値より小さい画素に対する前記高周波数成分を、該絶対値が該所定の閾値より大きい画素に対する前記高周波数成分よりも小さく強調して前記強調抑制処理を行うよう、前記高周波数成分用ゲインを設定する手段としてもよい。
【００１９】
なお、本発明による画像処理方法を、コンピュータに実行させるためのプログラムとして提供してもよい。
【００２０】
【発明の効果】
本発明によれば、評価値に基づいて高周波数成分を強調するとともに、中周波数成分を抑制する強調抑制処理を行うに際し、中周波数成分および高周波数成分の絶対値を各周波数成分の評価値としたため、上記特開平９−２２４６０号公報に記載された方法のように、ＲＧＢ３色のうちの２色からなる少なくとも１組の色間における相対応する画素についての相関値を算出する必要がなくなる。したがって、演算量を低減し、効率よく処理済み画像データを求めることができる。
【００２１】
また、一般的なデジタルの画像データにおいてＪＰＥＧ圧縮されている場合には、色差成分については周波数の高い成分が欠落していることが多いため、強調抑制処理を、画像データの輝度成分に対してのみ適用することにより、演算量を低減しつつも、画像のざらつきを抑制しつつ、鮮鋭度を向上させることができる。
【００２２】
また、フイルム粒状に起因するざらつきは主として中周波数成分に現れるが低周波数成分との境界付近に相当する粒状は画像中とくに目立つものであり、中周波数成分の信号値としては比較的小さい値として表される。また、デジタルカメラにおいて得られた画像データにより表される画像についても、同様の周波数帯域における微小信号に起因するざらつきが目立ちやすい。したがって、中周波数成分の絶対値が、所定の閾値より小さい場合、その絶対値が得られた画素はとくに目立つざらつきに対応するものとみなして、その画素についてのみ他の画素と比較して中周波数成分を大きく抑制するようにすれば、目立つざらつきの抑制を効率よく行うことができる。
【００２３】
また、画像データにより表される画像においては、フイルムに記録された画像を読み取ることにより得られたものであっても、デジタルカメラにおいて得られたものであっても、画像の高周波数成分と中周波数成分の周波数帯域における微小信号は、ざらつきの原因になりやすい。したがって、高周波数成分の絶対値が所定の閾値より小さい場合、その絶対値が得られた画素について他の画素と比較して高周波数成分の強調度を小さくすることにより、鮮鋭度の強調と同時にざらつきが強調されてしまうことを防止することができる。
【００２４】
【発明の実施の形態】
以下図面を参照して本発明の実施の形態について説明する。図１は本発明による画像処理装置の構成を示す概略ブロック図である。図１に示すように、本実施形態による画像処理装置は、ネガフイルムあるいはリバーサルフイルムに記録された画像をフイルムスキャナ等の読取手段により読み取ることにより得られたＲＧＢの３色データからなる画像データＳ０、あるいはデジタルカメラにおいて得られた画像データＳ０に対して画像処理を施すものであり、画像データＳ０に対して色処理および階調処理を施して色階調処理済みの画像データＳ１を得る色階調処理手段１と、色階調処理済みの画像データＳ１に対して粒状抑制処理および鮮鋭度強調処理を施して処理済み画像データＳ２を得る強調抑制処理手段２を備えるものである。
【００２５】
色階調処理手段１は、画像データＳ０に基づいて、画像データＳ０に対して施す色処理および階調処理のパラメータを決定し、このパラメータを用いて画像データＳ０に対して色処理および階調処理を施して、色階調処理済みの画像データＳ１を得る。
【００２６】
強調抑制処理手段２は、画像データＳ１を構成するＲＧＢ色データから輝度成分Ｙを生成する輝度成分生成手段２１、輝度成分Ｙに対して１１×１１ローパスフィルタ（ＬＰＦ）によるフィルタリング処理を施して、輝度成分Ｙの低周波数成分ＹＬを得るフィルタリング手段２２、輝度成分Ｙに対して３×３ローパスフィルタ（ＬＰＦ）によるフィルタリング処理を施して、輝度成分Ｙの低中周波数成分ＹＬＭを得るフィルタリング手段２３、輝度成分Ｙの中周波数成分ＹＭおよび高周波数成分ＹＨを生成し、これらの成分ＹＭ，ＹＨに対してゲイン処理を行うゲイン処理手段２４、およびゲイン処理後の中周波数成分ＹＭ′および高周波数成分ＹＨ′から処理済み画像データＳ２を生成する生成手段２５を備える。
【００２７】
輝度成分生成手段２１は、画像データＳ１を構成するＲＧＢ色データＲ１，Ｇ１，Ｂ１に対して下記の式（１）に示す演算を施すことにより輝度成分Ｙを生成する。
Ｙ＝０．３Ｒ１＋０．５９Ｇ１＋０．１１Ｂ１      （１）●
ゲイン処理手段２４は、下記の式（２）に示すように、フィルタリング手段２３において得られた低中周波数成分ＹＬＭからフィルタリング手段２２において得られた低周波数成分ＹＬを減算することにより中周波数成分ＹＭを生成する。また、下記の式（３）に示すように輝度成分Ｙから低中周波数成分ＹＬＭを減算することにより高周波数成分ＹＨを生成する。
ＹＭ＝ＹＬＭ−ＹＬ    （２）
ＹＨ＝Ｙ−ＹＬＭ      （３）●
ここで、低周波数成分ＹＬ、中周波数成分ＹＭおよび高周波数成分ＹＨとは、図２に示すように分布される周波数成分のことをいうものである。すなわち、中周波数成分ＹＭとは、処理済み画像データＳ２を可視像として再生する際の出力のナイキスト周波数（ここでは６cycle/mm）の１／３付近にピークを持って分布する周波数成分をいうものであり、低周波数成分ＹＬ とは、０周波数にピークを持って分布する成分をいい、高周波数成分ＹＨとは出力のナイキスト周波数にピークを持って分布する成分をいうものである。
【００２８】
さらに、ゲイン処理手段２４は、下記の式（４）に示すように、中周波数成分ＹＭに、中周波数成分ＹＭを抑制するゲインＧＭを乗算して処理済み中周波数成分ＹＭ′を得るとともに、下記の式（５）に示すように、高周波数成分ＹＨに、高周波数成分ＹＨを強調するゲインＧＨを乗算して処理済み高周波数成分ＹＨ′を得る。
ＹＭ′＝ＹＭ×ＧＭ      （４）
ＹＨ′＝ＹＨ×ＧＨ      （５）●
ここで、ゲインＧＭ，ＧＨは、中周波数成分ＹＭおよび高周波数成分ＹＨの絶対値｜ＹＭ｜，｜ＹＨ｜に基づいて設定される。図３は、中周波数成分ＹＭの絶対値｜ＹＭ｜とゲインＧＭとの関係を表すテーブルＴ１、図４は高周波数成分ＹＨの絶対値｜ＹＨ｜とゲインＧＨとの関係を表すテーブルＴ２を示す図である。
【００２９】
図３に示すようにゲインＧＭは、中周波数成分ＹＭの絶対値｜ＹＭ｜が所定の閾値Ｔｈ１より小さい画素に対する中周波数成分ＹＭを、絶対値｜ＹＭ｜が所定の閾値Ｔｈ１より大きい画素に対する中周波数成分ＹＭよりも大きく抑制するものである。
【００３０】
ここで、フイルムに記録された画像を読み取ることにより得られた画像データＳ０の場合、フイルム粒状に起因するざらつきは主として画像中の中周波数成分ＹＭに現れるが低周波数成分ＹＬとの境界付近に相当する粒状は画像中とくに目立つものであり、中周波数成分ＹＭの絶対値｜ＹＭ｜としては比較的小さい値として表される。また、デジタルカメラにおいて得られた画像データＳ０により表される画像ついても、同様の周波数帯域における微小信号に起因するざらつきが目立ちやすい。したがって、本実施形態においては、中周波数成分ＹＭを抑制するものであるが、絶対値｜ＹＭ｜が、所定の閾値Ｔｈ１より小さい場合、その絶対値｜ＹＭ｜が得られた画素はとくに目立つざらつきに対応するものとみなして、その画素についてのみ他の画素と比較して中周波数成分ＹＭを大きく抑制することにより、目立つざらつきの抑制を効率よく行うようにしたものである。
【００３１】
一方、図４に示すようにゲインＧＨは、高周波数成分ＹＨの絶対値｜ＹＨ｜が所定の閾値Ｔｈ２より小さい画素に対する高周波数成分ＹＨを、絶対値｜ＹＨ｜が所定の閾値Ｔｈ２より大きい画素に対する高周波数成分ＹＨよりも小さく強調するものである。
【００３２】
ここで、画像データＳ０により表される画像においては、フイルムに記録された画像を読み取ることにより得られたものであっても、デジタルカメラにおいて得られたものであっても、画像の高周波数成分ＹＨと中周波数成分ＹＭの周波数帯域における微小信号は、ざらつきの原因になりやすい。したがって、本実施形態においては、高周波数成分ＹＨを強調するものであるが、高周波数成分ＹＨの絶対値｜ＹＨ｜が所定の閾値Ｔｈ２より小さい場合、その絶対値｜ＹＨ｜が得られた画素について他の画素と比較して高周波数成分ＹＨの強調度を小さくすることにより、鮮鋭度の強調と同時にざらつきが強調されてしまうことを防止することができる。
【００３３】
そして、このようなテーブルＴ１，Ｔ２を参照することにより、中周波数成分ＹＭの絶対値｜ＹＭ｜および高周波数成分ＹＨの絶対値｜ＹＨ｜に基づいて、ゲインＧＭ，ＧＨがそれぞれ設定される。
【００３４】
生成手段２５は、式（６）に示すように処理済み中周波数成分ＹＭ′および処理済み高周波数成分ＹＨ′を加算して、処理済み中高周波数成分ＹＭＨ′を得る。
ＹＭＨ′＝ＹＭ′＋ＹＨ′  （６）●
また、下記の式（７）に示すように、処理済み中高周波数成分ＹＭＨ′および低周波数成分ＹＬを加算して、処理済み輝度成分Ｙ′を得る。
Ｙ′＝ＹＭＨ′＋ＹＬ      （７）●
さらに、下記の式（８）に示すように、処理済み輝度成分Ｙ′から輝度成分Ｙを減算して、加算成分Ｙａを得る。
Ｙａ＝Ｙ′−Ｙ            （８）●
そして、加算成分Ｙａを画像データＳ１に加算することにより、処理済み画像データＳ２を得る。なお、加算成分Ｙａは、画像データＳ１を構成する各色データＲ１，Ｇ１，Ｂ１に対して、下記の式（９）に示すように加算されて、処理済み画像データＳ２を構成する色データＲ２，Ｇ２，Ｂ２が得られる。
Ｒ２＝Ｒ１＋Ｙａ
Ｇ２＝Ｇ１＋Ｙａ          （９）
Ｂ２＝Ｂ１＋Ｙａ●
次いで、本実施形態の動作について説明する。図５は、本実施形態の動作を示すフローチャートである。まず、画像データＳ０に対して色階調処理手段１において色階調処理が施されて、色階調処理済みの画像データＳ１が得られる（ステップＳ１）。画像データＳ１は強調抑制処理手段２に入力され、まず輝度成分生成手段２１において画像データＳ１の輝度成分Ｙが生成される（ステップＳ２）。輝度成分Ｙは、フィルタリング手段２２において、１１×１１ローパスフィルタによりフィルタリング処理が施されて低周波数成分ＹＬが得られるとともに、フィルタリング手段２３において、３×３ローパスフィルタによりフィルタリング処理が施されて低中周波数成分ＹＬＭが得られる（ステップＳ３）。
【００３５】
ゲイン処理手段２４においては、輝度成分Ｙ、低周波数成分ＹＬおよび低中周波数成分ＹＬＭから、中周波数成分ＹＭおよび高周波数成分ＹＨが生成され（ステップＳ４）、中周波数成分ＹＭの絶対値｜ＹＭ｜および高周波数成分ＹＨの絶対値｜ＹＨ｜に基づいて、ゲインＧＭおよびゲインＧＨがそれぞれ設定される（ステップＳ５）。次いで、中周波数成分ＹＭおよび高周波数成分ＹＨにゲインＧＭおよびゲインＧＨがそれぞれ乗算されて、処理済み中周波数成分ＹＭ′および処理済み高周波数成分ＹＨ′が得られる（ステップＳ６）。
【００３６】
生成手段２５においては、処理済み中周波数成分ＹＭ′、処理済み高周波数成分ＹＨ′、低周波数成分ＹＬおよび輝度成分Ｙに基づいて、加算成分Ｙａが生成される（ステップＳ７）。加算成分Ｙａは画像データＳ１に加算されて処理済み画像データＳ２が生成され（ステップＳ８）、処理を終了する。処理済み画像データＳ２は、モニタやプリンタにおいて再生に供される。
【００３７】
このように、本実施形態においては、中周波数成分ＹＭを抑制し、高周波数成分ＹＨを強調するような処理を行っているため、処理済み画像データＳ２を再生することにより得られる処理済み画像を、鮮鋭度が強調されるとともにざらつきが抑制された画像とすることができる。
【００３８】
とくに、ゲインＧＭ，ＧＨを決定するための評価値として、中周波数成分および高周波数成分の絶対値を用いているため、上記特開平９−２２４６０号公報に記載された方法のように、ゲインＧＭ，ＧＨを決定するための評価値として、ＲＧＢ３色のうちの２色からなる少なくとも１組の色間における相対応する画素についての相関値を算出する必要がなくなる。したがって、演算量を低減し、効率よく処理済み画像データＳ２を求めることができる。
【００３９】
また、一般的なデジタルの画像データにおいてＪＰＥＧ圧縮されている場合には、色差成分については周波数の高い成分が欠落していることが多いため、強調抑制処理を、画像データＳ１の輝度成分Ｙに対してのみ適用することにより、演算量を低減しつつも、画像の粒状度を抑制し、かつ鮮鋭度を向上させることができる。
【００４０】
なお、上記実施形態においては、輝度成分Ｙを低周波数成分ＹＬ、中周波数成分ＹＭおよび高周波数成分ＹＨの３つの成分に分解しているが、さらに多くの成分に分解してもよい。この場合、分解された成分から、低周波数成分、中周波数成分および高周波数成分が選択される。
【００４１】
また、上記実施形態においては、画像データＳ１から輝度成分Ｙを生成し、輝度成分Ｙの中周波数成分ＹＭおよび高周波数成分ＹＨにゲインＧＭ，ＧＨを乗算しているが、画像データＳ１を構成する各色データＲ１，Ｇ１，Ｂ１の中周波数成分ＲＭ，ＧＭ，ＢＭおよび高周波数成分ＲＨ，ＧＨ，ＢＨを生成し、各色毎に処理済み中周波数成分ＲＭ′，ＧＭ′，ＢＭ′および処理済み高周波数成分ＲＨ′，ＧＨ′，ＢＨ′を生成して処理済み画像データＳ２を生成してもよい。この場合、中周波数成分ＲＭ，ＧＭ，ＢＭおよび高周波数成分ＲＨ，ＧＨ，ＢＨに乗算するゲインは、中周波数成分ＲＭ，ＧＭ，ＢＭおよび高周波数成分ＲＨ，ＧＨ，ＢＨの絶対値に基づいて設定される。
【００４２】
また、上記実施形態においては、画像データＳ０をＲＧＢの色データからなるものとしているが、ＹＣＣやＬａｂ等の標準色空間のデータからなる画像データＳ０に対しても、同様に粒状を抑制しつつも鮮鋭度を強調する処理を施すことができる。なお、標準色空間においては輝度成分が既成の成分として存在するため、その輝度成分を用いることにより、画像データＳ０から輝度成分を生成することなく処理を行うことができる。
【図面の簡単な説明】
【図１】本発明の実施形態による画像処理装置の構成を示す概略ブロック図
【図２】低・中・高周波数成分の分布を表すグラフ
【図３】中周波数成分のゲインを設定するテーブルを示す図
【図４】高周波数成分のゲインを設定するテーブルを示す図
【図５】本実施形態の動作を示すフローチャート
【符号の説明】
１    色階調処理手段
２    強調抑制処理手段
２１    輝度成分生成手段
２２，２３    フィルタリング手段
２４    ゲイン処理手段
２５    生成手段
【図１】
0004285628.tif 000002
【図２】
0004285628.tif 000003
【図３】
0004285628.tif 000004
【図４】
0004285628.tif 000005
【図５】
0004285628.tif 000006